(57)【要約】【課題】用紙装填時やカッター清掃時にカッターを分離した状態において、作業が安全かつ容易にでき、切断性能が低下されないラベルプリンタを提供する。【解決手段】固定刃と可動刃、可動刃昇降手段および制御手段を有する可動刃ユニットとからなるオートカッターを搭載したラベルプリンタにおいて、固定刃を、可動刃ユニットを収容するボックスに近接した切断待機位置と、ボックスから離間した固定刃清掃位置との間を移動可能に取付け、固定刃の至近位置に固定刃の刃先を隠蔽する隠蔽位置と、その刃先を露出させる露出位置との間を移動可能な固定刃カバーを備え、固定刃を切断待機位置に移動したときは固定刃カバーを露出位置に移動させ、固定刃を固定刃清掃位置に移動したときは固定刃カバーを隠蔽位置に移動させる固定刃カバー移動部材をボックスに設けた。【選択図】図１
2019202550.tif 000002
【特許請求の範囲】
【請求項１】
アッパーフレームに設けられた固定刃ユニットと、フロントフレームに設けられた可動刃ユニットとを有するオートカッターを搭載したラベルプリンタであって、
前記固定刃ユニットは、固定刃と、前記アッパーフレームの閉状態において前記固定刃を露出させ、前記アッパーフレームの開状態において自重により前記固定刃を隠蔽するが、使用者が前記固定刃を露出させる操作が可能な隠蔽手段とを備え 、
前記可動刃ユニットは、可動刃と、自然状態において前記可動刃を保護し、湾曲されたとき前記可動刃を露出する保護手段とを備え、前記アッパーフレームおよび前記フロントフレームの開状態において使用者が前記保護手段を湾曲させることが可能となる
ことを特徴とするラベルプリンタ。
【請求項２】
前記保護手段は、弾性シートである請求項１に記載のラベルプリンタ。
【発明の詳細な説明】
【技術分野】
【０００１】
本発明は、ロール状のラベル用紙に印刷後、ラベル用紙をカットしてラベルを発行するラベルプリンタに関する。
【背景技術】
【０００２】
ラベルプリンタは、ロール状のラベル用紙に印刷した後、ラベル用紙をオートカッターによりカットしてラベルを発行する。そのオートカッターは、固定刃と可動刃ユニット（可動刃、可動刃昇降手段および制御手段からなるユニット）とで構成されていて、可動刃ユニットはボックスに収容されているのが、通例である。
【０００３】
そして、ラベルプリンタでは、オートカッターの固定刃と可動刃にラベルの糊が付着して、用紙切断不良が発生するため、定期的な糊の除去等の清掃が必要となる。
【０００４】
そこで、ラベル用紙の装填時の用紙セットとカッターの清掃を容易にできるようにするため、固定刃と可動刃ユニットを収容しているボックスとを、その間の距離を開けることができるように（分離可能に）取付けたラベルプリンタが提案されている。さらに詳しくは、ラベルプリンタのベースフレームの上部に回転開閉可能に取付けられたアッパーフレームに固定刃を設け、ベースフレームの前部に回転開閉可能に取付けられたフロントフレームにボックスを設けている。
【０００５】
ラベル用紙装填時は、アッパーフレームを上方に回転して固定刃をボックス（可動刃）から分離し大きく開放して、ラベル用紙をセットすることとなる。
【０００６】
可動刃は、切断動作時以外は、可動刃昇降手段によりボックス内に収納されるので、収納位置に存在する可動刃の清掃を可能にするため、ボックスの背面上部に可動刃への清掃部材の接触を可能にする開口部が形成されている。しかし、ラベル用紙装填時には、可動刃の刃先に手が触れることはない。
【０００７】
これに対して、固定刃は、ボックスの上方に分離されると、固定刃の刃先が露出されるため、ラベル用紙装填時に作業者の手が刃先へ触れてしまう可能性がある。このため、従来は、ラベル用紙装填時に固定刃を変位させて、その刃先を隠し、手が触れないようにする安全構造が取られている。
【先行技術文献】
【特許文献】
【０００８】
【特許文献１】特開２０１２−  ５１３４４号公報
【特許文献２】特開２０１１−１０２０１５号公報
【発明の概要】
【発明が解決しようとする課題】
【０００９】
しかし、カッターを分離した状態においては、両刃先への接触ができないので、安全性は確保されているが、刃先に接触できないため、清掃が困難であり、カッターの切断性能を低下させることがある。
【００１０】
本発明は、上記の事情に鑑みてなされたものであり、用紙装填やカッター清掃の作業時にカッターを分離した状態において、作業が安全かつ容易にでき、切断性能が低下されないラベルプリンタを提供することを目的とする。
【課題を解決するための手段】
【００１１】
本発明のラベルプリンタの一側面は、アッパーフレームに設けられた固定刃ユニットと、フロントフレームに設けられた可動刃ユニットとを有するオートカッターを搭載したラベルプリンタであって、前記固定刃ユニットは、固定刃と、前記アッパーフレームの閉状態において前記固定刃を露出させ、前記アッパーフレームの開状態において自重により前記固定刃を隠蔽するが、使用者が前記固定刃を露出させる操作が可能な隠蔽手段とを備え、前記可動刃ユニットは、可動刃と、自然状態において前記可動刃を保護し、湾曲されたとき前記可動刃を露出する保護手段とを備え、前記アッパーフレームおよび前記フロントフレームの開状態において使用者が前記保護手段を湾曲させることが可能となることを特徴とする。
【００１２】
前記保護手段は、弾性シートであることが望ましい。
【発明の効果】
【００１３】
請求項１に係る発明によれば、固定刃および可動刃の清掃を安全かつ容易に実施できる。
また、請求項２に係る発明によれば、容易に清掃ができ、かつ確実に安全性を保つことができる。
【００１４】
さらに、従来と異なり、固定刃を変位させる構造が要らないので、安易な構造となり、製造コストを抑えることが可能となる。また、清掃が容易なため、カッターは寿命まで良好な切断性能を保つことができ、オペレータが用紙交換時にカッター刃に接触することを防止することが可能となる。
【図面の簡単な説明】
【００１５】
【図１】本発明の実施の形態に係るラベルプリンタの印刷待機状態における縦断面図である。
【図２】図１のラベルプリンタの用紙切断時の縦断面図である。
【図３】図１のラベルプリンタのアッパーフレームを開けた状態の縦断面図である。
【図４】図３のラベルプリンタを左側上方から見た斜視図である。
【図５】図３のラベルプリンタにラベル用紙を装填し、セットした状態の縦断面図である。
【図６】図５のラベルプリンタを右側上方から見た斜視図である。
【図７】可動刃ユニットを取り付けたフロントフレームの背面を右側上方から見た斜視図である。
【図８】図７のフロントフレームの背面を右側からほぼ水平方向に見た斜視図である。
【図９】図７のフロントフレームの側面図である。
【図１０】図７のフロントフレームに取付けてある可動刃ユニットの保護カバーの上部を開けた状態を示す斜視図である。
【図１１】図１０のフロントフレームを右側から水平方向に見た斜視図である。
【図１２】図１１のフロントフレームの側面図である。
【発明を実施するための形態】
【００１６】
次に、本発明の実施の形態について図面を参照しながら説明する。
【００１７】
本発明に係るラベルプリンタＬＰは、概括的には、ベースフレーム1と、アッパーフレーム２と、フロントフレーム３とを有する。
【００１８】
ベースフレーム1は、底面に下方に突出する脚１１ａを備えた底板１１と、その底板１１の左右（図面上は前後）両端部から起立する側板１２(図６)，１３とを有する。
【００１９】
側板１２，１３の後半部（図面上は左側部分）の間に、ロール状のラベル用紙Ｐを上方から装填できる用紙収容部(以下、ホッパという。)Ｈが設けられている。また、側板１２，１３の前半部（図面上は右側部分）の間の下部には、用紙搬送用のモータ１４が、同じく前半部の上側には、用紙搬送用のフィードローラ１５、プラテンローラ１６，リバースローラ１７が配設され、フィードローラ１５とプラテンローラ１６の間に用紙ガイド部材１８が設けられている。さらに、モータ１４とフィードローラ１５、プラテンローラ１６、および用紙ガイド部材１８との間に、後述される印刷ヘッドをプラテンローラ１６に対して押圧・退却させるための手段、たとえば、カム１９、リンク１１０等が設けられているが、これらは本発明の要旨に関係ないので、詳細な説明は省略する。
【００２０】
アッパーフレーム２は、左右の側板２１(図６)，２２を連結板２３で連結してなり、側板２１， ２２の後端部（図面上は左端部）に設けられた孔に、ベースフレーム1の側板１２，１３の後端部に支持している軸１１１を貫通することにより、その軸１１１を中心して回転開閉可能に取付けられている。
【００２１】
そして、アッパーフレーム２の側板２１，２２の中間部よりもやや前側（図１，２において右側）の部分とアッパーフレーム２の前部との間にピンチローラ２４と、用紙ガイド部材２５と、サーマルヘッド等の印刷ヘッド２６とが設けられている。さらに、印刷ヘッド２６よりも前側、すなわち、アッパーフレーム２の前端部（図面上は右端部）の近傍に連結板２３の下面に固着された固定部材２７を介してオートカッターの一構成部材である固定刃Ｂ１が、その刃先を下向きにして取り付けられている。
【００２２】
その固定刃Ｂ１の前側の至近位置に固定刃カバー２８が備えられている。固定刃カバー２８は、一例として横帯状に形成され、下端部がＬ字形に屈曲されて、隠ぺい部２８ａが形成されている。そして、固定刃カバー２８の上端部に長手方向両側に突出する軸（不図示）をアッパーフレーム２の側板２１，２２に形成してある孔（不図示）に回転可能に挿入することにより、固定刃カバー２８は自重によりその軸を中心として下方に回転可能に支持されている。
【００２３】
アッパーフレーム２は、ラベルプリンタＬＰの待機状態および用紙切断状態においては、図１，２に示すように、ベースフレーム1の上側に載せ置かれて水平状態、すなわち閉状態に保持される。また、用紙装填時およびカッター清掃時には、図３〜５に示すように、アッパーフレーム２の前部を持ち上げ、ベースフレーム1とアッパーフレーム２の間を開放すると、アッパーフレーム２の側板２１，２２の後端部に直角方向に屈曲して形成された係止片２９がベースフレーム1の側板１２，１３の後端部に係止されて、起立した状態、すなわち開状態が保持される。このとき、図５に示すように、固定刃カバー２８は自重により軸を中心に下方に回転して、隠ぺい部２８ａが固定刃Ｂ１の刃先を隠ぺいする。固定刃カバー２８と隠ぺい部２８ａが隠蔽手段に相当する。
【００２４】
したがって、図５に示すように、アッパーフレーム２を開けて、ホッパＨにラベル用紙Ｐを装填し、そのラベル用紙の先端を後述されるフロントフレーム３の上部を通過した位置まで引き延ばす用紙セット作業を、固定刃Ｂ１の刃先にオペレータが手を触れることなく、安全迅速に行うことができる。
【００２５】
図１，２は、固定刃Ｂ１が切断待機位置に移動された時の状態を示し、図５は、固定刃Ｂ１が固定刃清掃位置に移動された時の状態を示している。
【００２６】
フロントフレーム３は、左右の縦帯状の側板３１，３２の上部の間に可動刃ユニットを収容するボックス３３を固着して構成されている。側板３１，３２は、下端部に外側に突出する支軸３４，３５を有する。その支軸３４，３５をベースフレーム1の側板１２，１３の前部の下端部に形成してある孔または溝１１２（図４，６）に挿入することにより、図１〜６において、フロントフレーム３を支軸３４，３５を中心として反時計方向に回転すると、図１〜３に示すように、ベースフレーム1の前面に近接した状態（閉状態）とすることができ、また、フロントフレーム３を時計方向に回転すると、図４に示すように、ベースフレーム1の前面から離間した状態(開状態)とに移動させることができる。
【００２７】
そして、フロントフレーム３の左右の側板３１，３２の中間部側面に突出する係止突起３６，３７（図７，８）が設けてあり、フロントフレーム３を閉状態にすると、図６に示すように、係止突起３６，３７がベースフレームの側板１２，１３に回転可能に取付けられているレバー１１３の先端に形成してあるフック１１４に係止され、フロントフレーム３は図１〜３，５，６に示すように、閉状態に保持される。
【００２８】
アッパーフレーム２の前部側面に突設してある係合部材２１０には下方に開口する半円状の溝２１１が形成されている。また、アッパーフレーム２の前部側面に係合部材２１０の至近位置に回動可能なフック２１２，２１３が設けてある。他方、フロントフレーム３の左右の側板３１，３２の上端部側面に係止突起３８，３９（図７，８）が突設されている。
【００２９】
したがって、フロントフレーム３を閉状態に保持したまま、アッパーフレーム２を閉めると、アッパーフレーム２の係合部材２１０の孔２１１にフロントフレーム３の係止突起３８，３９が嵌合する。これと同時に、アッパーフレーム２のフック２１２，２１３がフロントフレーム３の係止突起３８，３９を捕捉する。こうして、閉められたアッパーフレーム２とフロントフレーム３が相互に連結され、ベースフレーム1に固定される。
【００３０】
また、フロントフレーム３の側板３１，３２は、ボックス３３の上面よりも上方に延長され、その延長部分により固定刃カバー移動部材３１０，３１１が形成されている。そして、アッパーフレーム２を閉めたときは、自重で固定刃隠蔽位置に垂下していた固定刃カバー２８が露出位置まで押し上げられる（図１，２参照）。なお、固定刃カバー２８の隠蔽部材２８ａは、その両端部が固定刃カバー２８の本体よりも若干短く形成されているので、図１，２においては、固定刃カバー２８の隠蔽部材２８ａの下端部が固定刃カバー移動部材３１０，３１１の上端面よりもわずかに低い位置に存在している。
【００３１】
また、アッパーフレーム２のフック２１２，２１３をフロントフレーム３の係止突起３８，３９から外し、アッパーフレーム２を開けた後、フロントフレーム３を閉状態に保っているレバー１１３のフック１１４を外し、フロントフレーム３の上部を持って手前に引くと、フロントフレーム３の上部がベースフレーム１の前部から手前側に離れる。そして、図４に示すように、フロントフレーム３の左右の側板３１，３２の下端部に下方に突出する係止部材３８，３９がベースフレーム１の底板１１の前端１１ｂに係止されるため、手前側に引かれたフロントフレーム３は所定の開放位置に維持される。
【００３２】
フロントフレーム３に取付けられたボックス３３に収容されている可動刃ユニット４は、Ｖ字形の刃先を上向きにした可動刃Ｂ２と、可動刃昇降手段（図示省略） と、その可動刃昇降手段の駆動を制御する制御手段（図示省略）とからなる。可動刃昇降手段は既知のものであり、可動刃Ｂ２をその刃先がボックス３３の背面上部に形成してある開口３３ａ(図７，１１)から上方の固定刃Ｂ１の刃先と切断作用をする位置まで上昇させ、かつ、その刃先がボックス３３の開口３３ａ内に収容される位置まで下降させる。
【００３３】
下降位置の可動刃Ｂ２の刃先は、開口３３ａに臨んでいるので、何ら造作をしない場合は、カッター清掃のためにフロントフレーム３を図４に示すように開けたときは、可動刃Ｂ２の刃先が露出され、清掃作業者の手がその刃先に接触する可能性がある。そこで、本発明の好ましい実施の形態においては、図７〜１２に示すように、ボックス３３の背面に、開口３３ａの上部を遮蔽して清掃作業者の手が可動刃Ｂ２の刃先に接触するのを防ぐ保護カバー３１４を設けた。この保護カバー３１４は、保護手段に相当する。なお、図面には保護カバー３１４の形状を明瞭にするため、密な斜線を加入してある。
【００３４】
保護カバー３１４は、非清掃時は可動刃Ｂ２の刃先へのアクセスを阻止し、清掃時はアクセスを許容するものであって、しかも、アクセス阻止とアクセス許容を容易にできるものであることが望ましい。その要望に応える第１案は、図示のように、保護カバー３１４を弾性シートで矩形状に作り、その矩形のたとえば下側半分をボックス３３の背面に固着して、可動刃Ｂ２の刃先の清掃時は、図１０，１１に示すように、上側半分を手前側に引いて湾曲変形できるようにした。
【００３５】
こうして、保護カバー３１４を湾曲変形させて、開口３３ａを大きく開放することにより、可動刃Ｂ２の刃先に清掃部材（図示省略）を容易に接触させて清掃を容易に行うことができる。清掃が終わった時は保護カバー３１４を把持していた手を開放すれば、保護カバー３１４は当初の状態に復帰する。したがって、工具等の使用が不要である。
【００３６】
上記要望に応える第２案は、保護カバー３１４を弾性シートで作ることに代えて、保護カバー３１４を合成樹脂または金属の薄板で作り、その保護カバー３１４の下端をピンナックルなどでボックス３３に開閉可能に取付け、かつ、保護カバー３１４の上端部またはその近辺に、もしくは、ボックス３３の背面に、閉じた保護カバー３１４をボックス３３に吸着させる磁石を設けることである。
この例の場合は、保護カバー３１４を開放状態に放置できるので、清掃作業がさらに容易になる。
【符号の説明】
【００３７】
１      ベースフレーム
２      アッパーフレーム
Ｂ１    固定刃
２８    固定刃カバー
２８ａ  隠蔽部材
３      フロントフレーム
３３    ボックス
３１０，３１１  固定刃カバー移動部材
４      固定刃ユニット
Ｂ２    可動刃
【図１】
2019202550.tif 000003
【図２】
2019202550.tif 000004
【図３】
2019202550.tif 000005
【図４】
2019202550.tif 000006
【図５】
2019202550.tif 000007
【図６】
2019202550.tif 000008
【図７】
2019202550.tif 000009
【図８】
2019202550.tif 000010
【図９】
2019202550.tif 000011
【図１０】
2019202550.tif 000012
【図１１】
2019202550.tif 000013
【図１２】
2019202550.tif 000014
【手続補正書】
【提出日】令和1年9月5日(2019.9.5)
【手続補正１】
【補正対象書類名】明細書
【補正対象項目名】全文
【補正方法】変更
【補正の内容】
【発明の詳細な説明】
【技術分野】
【０００１】
本発明は、ロール状のラベル用紙に印刷後、ラベル用紙をカットしてラベルを発行するラベルプリンタに関する。
【背景技術】
【０００２】
ラベルプリンタは、ロール状のラベル用紙に印刷した後、ラベル用紙をオートカッターによりカットしてラベルを発行する。そのオートカッターは、固定刃と可動刃ユニット（可動刃、可動刃昇降手段および制御手段からなるユニット）とで構成されていて、可動刃ユニットはボックスに収容されているのが、通例である。
【０００３】
そして、ラベルプリンタでは、オートカッターの固定刃と可動刃にラベルの糊が付着して、用紙切断不良が発生するため、定期的な糊の除去等の清掃が必要となる。
【０００４】
そこで、ラベル用紙の装填時の用紙セットとカッターの清掃を容易にできるようにするため、固定刃と可動刃ユニットを収容しているボックスとを、その間の距離を開けることができるように（分離可能に）取付けたラベルプリンタが提案されている。さらに詳しくは、ラベルプリンタのベースフレームの上部に回転開閉可能に取付けられたアッパーフレームに固定刃を設け、ベースフレームの前部に回転開閉可能に取付けられたフロントフレームにボックスを設けている。
【０００５】
ラベル用紙装填時は、アッパーフレームを上方に回転して固定刃をボックス（可動刃）から分離し大きく開放して、ラベル用紙をセットすることとなる。
【０００６】
可動刃は、切断動作時以外は、可動刃昇降手段によりボックス内に収納されるので、収納位置に存在する可動刃の清掃を可能にするため、ボックスの背面上部に可動刃への清掃部材の接触を可能にする開口部が形成されている。しかし、ラベル用紙装填時には、可動刃の刃先に手が触れることはない。
【０００７】
これに対して、固定刃は、ボックスの上方に分離されると、固定刃の刃先が露出されるため、ラベル用紙装填時に作業者の手が刃先へ触れてしまう可能性がある。このため、従来は、ラベル用紙装填時に固定刃を変位させて、その刃先を隠し、手が触れないようにする安全構造が取られている。
【先行技術文献】
【特許文献】
【０００８】
【特許文献１】特開２０１２−  ５１３４４号公報
【特許文献２】特開２０１１−１０２０１５号公報
【発明の概要】
【発明が解決しようとする課題】
【０００９】
しかし、カッターを分離した状態においては、両刃先への接触ができないので、安全性は確保されているが、刃先に接触できないため、清掃が困難であり、カッターの切断性能を低下させることがある。
【００１０】
本発明は、上記の事情に鑑みてなされたものであり、用紙装填やカッター清掃の作業時にカッターを分離した状態において、作業が安全かつ容易にでき、切断性能が低下されないラベルプリンタを提供することを目的とする。
【課題を解決するための手段】
【００１１】
本発明のラベルプリンタの一側面は、アッパーフレームに設けられた固定刃ユニットと、フロントフレームに設けられた可動刃ユニットとを有するオートカッターを搭載したラベルプリンタであって、前記固定刃ユニットは、固定刃と、前記アッパーフレームの閉状態において前記固定刃を露出する露出手段とを備え、前記可動刃ユニットは、可動刃と、自然状態において前記可動刃を保護し、湾曲されたとき前記可動刃を露出する保護手段とを備え、前記フロントフレームの開状態において前記保護手段を湾曲させることが可能となることを特徴とする。
【発明の効果】
【００１２】
本発明によれば、固定刃および可動刃の清掃を安全かつ容易に実施できる。
【図面の簡単な説明】
【００１３】
【図１】本発明の実施の形態に係るラベルプリンタの印刷待機状態における縦断面図である。
【図２】図１のラベルプリンタの用紙切断時の縦断面図である。
【図３】図１のラベルプリンタのアッパーフレームを開けた状態の縦断面図である。
【図４】図３のラベルプリンタを左側上方から見た斜視図である。
【図５】図３のラベルプリンタにラベル用紙を装填し、セットした状態の縦断面図である。
【図６】図５のラベルプリンタを右側上方から見た斜視図である。
【図７】可動刃ユニットを取り付けたフロントフレームの背面を右側上方から見た斜視図である。
【図８】図７のフロントフレームの背面を右側からほぼ水平方向に見た斜視図である。
【図９】図７のフロントフレームの側面図である。
【図１０】図７のフロントフレームに取付けてある可動刃ユニットの保護カバーの上部を開けた状態を示す斜視図である。
【図１１】図１０のフロントフレームを右側から水平方向に見た斜視図である。
【図１２】図１１のフロントフレームの側面図である。
【発明を実施するための形態】
【００１４】
次に、本発明の実施の形態について図面を参照しながら説明する。
【００１５】
本発明に係るラベルプリンタＬＰは、概括的には、ベースフレーム1と、アッパーフレーム２と、フロントフレーム３とを有する。
【００１６】
ベースフレーム1は、底面に下方に突出する脚１１ａを備えた底板１１と、その底板１１の左右（図面上は前後）両端部から起立する側板１２(図６)，１３とを有する。
【００１７】
側板１２，１３の後半部（図面上は左側部分）の間に、ロール状のラベル用紙Ｐを上方から装填できる用紙収容部(以下、ホッパという。)Ｈが設けられている。また、側板１２，１３の前半部（図面上は右側部分）の間の下部には、用紙搬送用のモータ１４が、同じく前半部の上側には、用紙搬送用のフィードローラ１５、プラテンローラ１６，リバースローラ１７が配設され、フィードローラ１５とプラテンローラ１６の間に用紙ガイド部材１８が設けられている。さらに、モータ１４とフィードローラ１５、プラテンローラ１６、および用紙ガイド部材１８との間に、後述される印刷ヘッドをプラテンローラ１６に対して押圧・退却させるための手段、たとえば、カム１９、リンク１１０等が設けられているが、これらは本発明の要旨に関係ないので、詳細な説明は省略する。
【００１８】
アッパーフレーム２は、左右の側板２１(図６)，２２を連結板２３で連結してなり、側板２１， ２２の後端部（図面上は左端部）に設けられた孔に、ベースフレーム1の側板１２，１３の後端部に支持している軸１１１を貫通することにより、その軸１１１を中心して回転開閉可能に取付けられている。
【００１９】
そして、アッパーフレーム２の側板２１，２２の中間部よりもやや前側（図１，２において右側）の部分とアッパーフレーム２の前部との間にピンチローラ２４と、用紙ガイド部材２５と、サーマルヘッド等の印刷ヘッド２６とが設けられている。さらに、印刷ヘッド２６よりも前側、すなわち、アッパーフレーム２の前端部（図面上は右端部）の近傍に連結板２３の下面に固着された固定部材２７を介してオートカッターの一構成部材である固定刃Ｂ１が、その刃先を下向きにして取り付けられている。
【００２０】
その固定刃Ｂ１の前側の至近位置に固定刃カバー２８が備えられている。固定刃カバー２８は、一例として横帯状に形成され、下端部がＬ字形に屈曲されて、隠ぺい部２８ａが形成されている。そして、固定刃カバー２８の上端部に長手方向両側に突出する軸（不図示）をアッパーフレーム２の側板２１，２２に形成してある孔（不図示）に回転可能に挿入することにより、固定刃カバー２８は自重によりその軸を中心として下方に回転可能に支持されている。
【００２１】
アッパーフレーム２は、ラベルプリンタＬＰの待機状態および用紙切断状態においては、図１，２に示すように、ベースフレーム1の上側に載せ置かれて水平状態、すなわち閉状態に保持される。また、用紙装填時およびカッター清掃時には、図３〜５に示すように、アッパーフレーム２の前部を持ち上げ、ベースフレーム1とアッパーフレーム２の間を開放すると、アッパーフレーム２の側板２１，２２の後端部に直角方向に屈曲して形成された係止片２９がベースフレーム1の側板１２，１３の後端部に係止されて、起立した状態、すなわち開状態が保持される。このとき、図５に示すように、固定刃カバー２８は自重により軸を中心に下方に回転して、隠ぺい部２８ａが固定刃Ｂ１の刃先を隠ぺいする。固定刃カバー２８と隠ぺい部２８ａが隠蔽手段に相当する。
【００２２】
したがって、図５に示すように、アッパーフレーム２を開けて、ホッパＨにラベル用紙Ｐを装填し、そのラベル用紙の先端を後述されるフロントフレーム３の上部を通過した位置まで引き延ばす用紙セット作業を、固定刃Ｂ１の刃先にオペレータが手を触れることなく、安全迅速に行うことができる。
【００２３】
図１，２は、固定刃Ｂ１が切断待機位置に移動された時の状態を示し、図５は、固定刃Ｂ１が固定刃清掃位置に移動された時の状態を示している。
【００２４】
フロントフレーム３は、左右の縦帯状の側板３１，３２の上部の間に可動刃ユニットを収容するボックス３３を固着して構成されている。側板３１，３２は、下端部に外側に突出する支軸３４，３５を有する。その支軸３４，３５をベースフレーム1の側板１２，１３の前部の下端部に形成してある孔または溝１１２（図４，６）に挿入することにより、図１〜６において、フロントフレーム３を支軸３４，３５を中心として反時計方向に回転すると、図１〜３に示すように、ベースフレーム1の前面に近接した状態（閉状態）とすることができ、また、フロントフレーム３を時計方向に回転すると、図４に示すように、ベースフレーム1の前面から離間した状態(開状態)とに移動させることができる。
【００２５】
そして、フロントフレーム３の左右の側板３１，３２の中間部側面に突出する係止突起３６，３７（図７，８）が設けてあり、フロントフレーム３を閉状態にすると、図６に示すように、係止突起３６，３７がベースフレームの側板１２，１３に回転可能に取付けられているレバー１１３の先端に形成してあるフック１１４に係止され、フロントフレーム３は図１〜３，５，６に示すように、閉状態に保持される。
【００２６】
アッパーフレーム２の前部側面に突設してある係合部材２１０には下方に開口する半円状の溝２１１が形成されている。また、アッパーフレーム２の前部側面に係合部材２１０の至近位置に回動可能なフック２１２，２１３が設けてある。他方、フロントフレーム３の左右の側板３１，３２の上端部側面に係止突起３８，３９（図７，８）が突設されている。
【００２７】
したがって、フロントフレーム３を閉状態に保持したまま、アッパーフレーム２を閉めると、アッパーフレーム２の係合部材２１０の孔２１１にフロントフレーム３の係止突起３８，３９が嵌合する。これと同時に、アッパーフレーム２のフック２１２，２１３がフロントフレーム３の係止突起３８，３９を捕捉する。こうして、閉められたアッパーフレーム２とフロントフレーム３が相互に連結され、ベースフレーム1に固定される。
【００２８】
また、フロントフレーム３の側板３１，３２は、ボックス３３の上面よりも上方に延長され、その延長部分により固定刃カバー移動部材３１０，３１１が形成されている。そして、アッパーフレーム２を閉めたときは、自重で固定刃隠蔽位置に垂下していた固定刃カバー２８が露出位置まで押し上げられる（図１，２参照）。固定刃カバー２８と固定刃カバー移動部材３１０，３１１とで、アッパーフレーム２の閉状態において固定刃Ｂ１を露出する露出手段が構成されている。なお、固定刃カバー２８の隠蔽部材２８ａは、その両端部が固定刃カバー２８の本体よりも若干短く形成されているので、図１，２においては、固定刃カバー２８の隠蔽部材２８ａの下端部が固定刃カバー移動部材３１０，３１１の上端面よりもわずかに低い位置に存在している。
【００２９】
また、アッパーフレーム２のフック２１２，２１３をフロントフレーム３の係止突起３８，３９から外し、アッパーフレーム２を開けた後、フロントフレーム３を閉状態に保っているレバー１１３のフック１１４を外し、フロントフレーム３の上部を持って手前に引くと、フロントフレーム３の上部がベースフレーム１の前部から手前側に離れる。そして、図４に示すように、フロントフレーム３の左右の側板３１，３２の下端部に下方に突出する係止部材３８，３９がベースフレーム１の底板１１の前端１１ｂに係止されるため、手前側に引かれたフロントフレーム３は所定の開放位置に維持される。
【００３０】
フロントフレーム３に取付けられたボックス３３に収容されている可動刃ユニット４は、Ｖ字形の刃先を上向きにした可動刃Ｂ２と、可動刃昇降手段（図示省略） と、その可動刃昇降手段の駆動を制御する制御手段（図示省略）とからなる。可動刃昇降手段は既知のものであり、可動刃Ｂ２をその刃先がボックス３３の背面上部に形成してある開口３３ａ(図７，１１)から上方の固定刃Ｂ１の刃先と切断作用をする位置まで上昇させ、かつ、その刃先がボックス３３の開口３３ａ内に収容される位置まで下降させる。
【００３１】
下降位置の可動刃Ｂ２の刃先は、開口３３ａに臨んでいるので、何ら造作をしない場合は、カッター清掃のためにフロントフレーム３を図４に示すように開けたときは、可動刃Ｂ２の刃先が露出され、清掃作業者の手がその刃先に接触する可能性がある。そこで、本発明の好ましい実施の形態においては、図７〜１２に示すように、ボックス３３の背面に、開口３３ａの上部を遮蔽して清掃作業者の手が可動刃Ｂ２の刃先に接触するのを防ぐ保護カバー３１４を設けた。この保護カバー３１４は、保護手段に相当する。なお、図面には保護カバー３１４の形状を明瞭にするため、密な斜線を加入してある。
【００３２】
保護カバー３１４は、非清掃時は可動刃Ｂ２の刃先へのアクセスを阻止し、清掃時はアクセスを許容するものであって、しかも、アクセス阻止とアクセス許容を容易にできるものであることが望ましい。その要望に応える第１案は、図示のように、保護カバー３１４を弾性シートで矩形状に作り、その矩形のたとえば下側半分をボックス３３の背面に固着して、可動刃Ｂ２の刃先の清掃時は、図１０，１１に示すように、上側半分を手前側に引いて湾曲変形できるようにした。
【００３３】
こうして、保護カバー３１４を湾曲変形させて、開口３３ａを大きく開放することにより、可動刃Ｂ２の刃先に清掃部材（図示省略）を容易に接触させて清掃を容易に行うことができる。清掃が終わった時は保護カバー３１４を把持していた手を開放すれば、保護カバー３１４は当初の状態に復帰する。したがって、工具等の使用が不要である。
【００３４】
上記要望に応える第２案は、保護カバー３１４を弾性シートで作ることに代えて、保護カバー３１４を合成樹脂または金属の薄板で作り、その保護カバー３１４の下端をピンナックルなどでボックス３３に開閉可能に取付け、かつ、保護カバー３１４の上端部またはその近辺に、もしくは、ボックス３３の背面に、閉じた保護カバー３１４をボックス３３に吸着させる磁石を設けることである。  この例の場合は、保護カバー３１４を開放状態に放置できるので、清掃作業がさらに容易になる。
【符号の説明】
【００３５】
１      ベースフレーム
２      アッパーフレーム
Ｂ１    固定刃
２８    固定刃カバー
２８ａ  隠蔽部材
３      フロントフレーム
３３    ボックス
３１０，３１１  固定刃カバー移動部材
４      固定刃ユニット
Ｂ２    可動刃
【手続補正２】
【補正対象書類名】特許請求の範囲
【補正対象項目名】全文
【補正方法】変更
【補正の内容】
【特許請求の範囲】
【請求項１】
アッパーフレームに設けられた固定刃ユニットと、フロントフレームに設けられた可動刃ユニットとを有するオートカッターを搭載したラベルプリンタであって、
前記固定刃ユニットは、固定刃と、前記アッパーフレームの閉状態において前記固定刃を露出する露出手段とを備え、
前記可動刃ユニットは、可動刃と、自然状態において前記可動刃を保護し、湾曲されたとき前記可動刃を露出する保護手段とを備え、
前記フロントフレームの開状態において前記保護手段を湾曲させることが可能となる
ことを特徴とするラベルプリンタ。